(57)【要約】【課題】カラオケ装置により演奏される演奏曲の歌詞文字映像を簡単な処理により携帯電話機に表示させるカラオケシステムを提供する。【解決手段】カラオケ装置１６は、演奏曲に対応する出力音における所定の周波数帯域の信号を除去すると共に、その出力音の出力よりも所定時間後に表示されるべき歌詞文字映像１０８を表示させるための情報を前記除去された周波数帯域の音響情報に変換し、合成させて出力させる制御を行う音響情報出力制御部３９等を備えたものであり、携帯電話機２８は、マイクロフォン９０により入力される前記音響情報に基づいて、その音響情報の取得から所定時間後にその音響情報に対応する歌詞文字映像１０８を表示部７４に表示させる歌詞文字映像表示制御手段１０６を備えたものであることから、カラオケ装置１６に表示されるものと等価な歌詞文字映像１０８をその携帯電話機２８の表示部７４に表示させることができる。【選択図】図４
2008242264.tif 000002
【特許請求の範囲】
【請求項１】
多数の演奏曲のうちから選択される所定の演奏曲を出力させると共に、該演奏曲の出力と併行して該演奏曲の歌詞文字映像を含む演奏映像を表示させるカラオケ装置と、所定の文字映像を表示し得る表示部を有する携帯電話機とを、備えたカラオケシステムであって、
前記カラオケ装置は、
前記演奏曲に対応する出力音における所定の周波数帯域の信号を除去すると共に、該出力音の出力よりも所定時間後に表示されるべき歌詞文字映像を表示させるための情報を前記除去された周波数帯域の音響情報に変換し、該音響情報と前記出力音とを合成して出力させる制御を行う情報出力制御手段を備えたものであり、
前記携帯電話機は、
所定の音声入力装置により入力される前記音響情報に基づいて、該音響情報の取得から所定時間後に該音響情報に対応する歌詞文字映像を前記表示部に表示させる歌詞文字映像表示制御手段を備えたものであることを特徴とするカラオケシステム。
【請求項２】
前記情報出力制御手段は、先に出力した音響情報に対応する歌詞文字映像が表示されるべき時点において次なる音響情報を出力させるように前記制御を行うものであり、前記歌詞文字映像表示制御手段は、所定の音響情報を取得した時点において先に取得された音響情報に対応する歌詞文字映像の表示を開始するものである請求項１のカラオケシステム。
【請求項３】
前記情報出力制御手段は、前記歌詞文字映像を表示させるための情報と併せて該歌詞文字映像を順次色替表示させるための情報を前記除去された周波数帯域の音響情報に変換し、該音響情報と前記出力音とを合成して出力させるものであり、前記歌詞文字映像表示制御手段は、前記音声入力装置により入力される該音響情報に基づいて、前記表示部に表示された歌詞文字映像を順次色替表示させるものである請求項１又は２のカラオケシステム。
【請求項４】
前記情報出力制御手段は、前記演奏曲に対応する出力音における非可聴音域の信号を除去すると共に、該出力音の出力よりも所定時間後に表示されるべき歌詞文字映像を表示させるための情報を前記除去された非可聴音域の音響情報に変換し、該音響情報と前記出力音とを合成して出力させる制御を行うものである請求項１から３の何れかのカラオケシステム。
【発明の詳細な説明】
【技術分野】
【０００１】
本発明は、多数の演奏曲のうちから選択される所定の演奏曲を出力させると共に、その演奏曲の出力と併行してその演奏曲の歌詞文字映像を含む演奏映像を表示させるカラオケ装置を備えたカラオケシステムに関し、特に、そのカラオケ装置により出力される演奏曲の歌詞文字映像を携帯電話機に表示させる技術に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置においては、リモコン信号（赤外線信号）によりそのカラオケ装置への入力を行う備え付けのリモコン装置や、そのカラオケ装置と対応付けられることで電波によりそのカラオケ装置との通信が可能とされた電子早見本装置等が遠隔操作装置として用いられる。しかし、上記リモコン装置や電子早見本装置には台数に限りがあるため、比較的多くの人数でカラオケ演奏を行う場合には、使いたいのに遠隔操作装置が手元にないといった状況を招きやすかった。そこで、携帯電話機をカラオケ装置の入力装置として用いる技術が提案されている。例えば、特許文献１に記載されたカラオケシステムがそれである。この技術によれば、利用者が所持する携帯電話機を前記カラオケ装置の遠隔操作装置として用いることで、遠隔操作装置の不足を好適に防止することができる。
【０００４】
【特許文献１】特開２００３−１６２２８６号公報
【発明の開示】
【発明が解決しようとする課題】
【０００５】
ところで、カラオケボックスの個室等において、カラオケ装置との相対位置によってはそのモニタの画面が死角になる場合があり、特にその場にいる全員で所定の曲を歌うといった場合に歌詞文字映像を視認できない利用者が生じることが問題となっていた。この問題を解消するために、複数台のモニタを設置することが考えられるが、モニタは比較的高価であるため、そのようにすることでカラオケ装置の単価を引き上げるという新たな弊害を生じさせるものであった。本発明者は、上記問題を解決するために鋭意研究を継続した一結果として、前記従来の技術のようにカラオケ装置の入力装置として携帯電話機が用いられるカラオケシステムが一般化している現状に鑑み、その携帯電話機に演奏曲の歌詞文字映像を表示させる技術を開発するに至った。
【０００６】
本発明は、以上の事情を背景として為されたものであり、その目的とするところは、カラオケ装置により演奏される演奏曲の歌詞文字映像を簡単な処理により携帯電話機に表示させるカラオケシステムを提供することにある。
【課題を解決するための手段】
【０００７】
斯かる目的を達成するために、本発明の要旨とするところは、多数の演奏曲のうちから選択される所定の演奏曲を出力させると共に、その演奏曲の出力と併行してその演奏曲の歌詞文字映像を含む演奏映像を表示させるカラオケ装置と、所定の文字映像を表示し得る表示部を有する携帯電話機とを、備えたカラオケシステムであって、前記カラオケ装置は、前記演奏曲に対応する出力音における所定の周波数帯域の信号を除去すると共に、その出力音の出力よりも所定時間後に表示されるべき歌詞文字映像を表示させるための情報を前記除去された周波数帯域の音響情報に変換し、その音響情報と前記出力音とを合成して出力させる制御を行う情報出力制御手段を備えたものであり、前記携帯電話機は、所定の音声入力装置により入力される前記音響情報に基づいて、その音響情報の取得から所定時間後にその音響情報に対応する歌詞文字映像を前記表示部に表示させる歌詞文字映像表示制御手段を備えたことを特徴とするものである。
【発明の効果】
【０００８】
このようにすれば、前記カラオケ装置は、前記演奏曲に対応する出力音における所定の周波数帯域の信号を除去すると共に、その出力音の出力よりも所定時間後に表示されるべき歌詞文字映像を表示させるための情報を前記除去された周波数帯域の音響情報に変換し、その音響情報と前記出力音とを合成して出力させる制御を行う情報出力制御手段を備えたものであり、前記携帯電話機は、所定の音声入力装置により入力される前記音響情報に基づいて、その音響情報の取得から所定時間後にその音響情報に対応する歌詞文字映像を前記表示部に表示させる歌詞文字映像表示制御手段を備えたものであることから、音響情報に変換した歌詞情報を演奏曲の出力と所定のタイムラグをもって携帯電話機に入力させることで、前記カラオケ装置に表示されるものと等価な歌詞文字映像をその携帯電話機の表示部に表示させることができる。すなわち、カラオケ装置により演奏される演奏曲の歌詞文字映像を簡単な処理により携帯電話機に表示させるカラオケシステムを提供することができる。
【０００９】
ここで、好適には、前記情報出力制御手段は、先に出力した音響情報に対応する歌詞文字映像が表示されるべき時点において次なる音響情報を出力させるように前記制御を行うものであり、前記歌詞文字映像表示制御手段は、所定の音響情報を取得した時点において先に取得された音響情報に対応する歌詞文字映像の表示を開始するものである。このようにすれば、前記カラオケ装置に表示されるものと等価な歌詞文字映像を実用的な態様で前記携帯電話機の表示部に表示させることができるという利点がある。
【００１０】
また、好適には、前記情報出力制御手段は、前記歌詞文字映像を表示させるための情報と併せてその歌詞文字映像を順次色替表示させるための情報を前記除去された周波数帯域の音響情報に変換し、その音響情報と前記出力音とを合成して出力させるものであり、前記歌詞文字映像表示制御手段は、前記音声入力装置により入力されるその音響情報に基づいて、前記表示部に表示された歌詞文字映像を順次色替表示させるものである。このようにすれば、前記カラオケ装置に表示されるものと同様に、前記携帯電話機に表示された歌詞文字映像を順次色替表示させることができるという利点がある。
【００１１】
また、好適には、前記情報出力制御手段は、前記演奏曲に対応する出力音における非可聴音域の信号を除去すると共に、その出力音の出力よりも所定時間後に表示されるべき歌詞文字映像を表示させるための情報を前記除去された非可聴音域の音響情報に変換し、その音響情報と前記出力音とを合成して出力させる制御を行うものである。このようにすれば、前記演奏曲に対応する出力音における非可聴音域の信号を前記音響情報に置換して出力させることで、利用者の耳に聞こえる演奏音に影響を与えることなく、前記携帯電話機に歌詞文字映像を表示させるための情報を伝達できるという利点がある。
【００１２】
以下、本発明の好適な実施例を図面に基づいて詳細に説明する。
【実施例】
【００１３】
図１は、本発明の一実施例であるカラオケシステム１０を説明する概略図である。この図１に示すように、本実施例のカラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６は、ルータ１７を介して公衆電話回線等による通信回線１８に接続されており、同じくその通信回線１８に接続されたカラオケサービス提供会社のサーバ装置（センタ装置）２０との相互間でその通信回線１８を介して情報の通信が可能とされている。このサーバ装置２０は、カラオケ情報（楽曲データ）、背景映像情報、曲間情報等のデジタルコンテンツ（Digital Contents）の保管や入出力管理の基本的な制御を行うサーバであり、上記通信回線１８を介して上記カラオケ装置１６に定期的にコンテンツの配信を行うと共に、そのカラオケ装置１６からの要求に応じて所定の機能制御プログラムを送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。また、上記カラオケシステム１０は、所定のアプリがインストールされることにより上記カラオケ装置１６の遠隔操作装置等として機能すると共に、後述するように上記カラオケ装置１６による演奏曲の出力と併行してその演奏曲の歌詞文字映像を表示させる歌詞文字映像表示装置として機能する複数の携帯電話機２８ａ、２８ｂ、２８ｃ、・・・（以下、特に区別しない場合には単に携帯電話機２８と称する）を備えている。これら携帯電話機２８は、例えば、前記カラオケ装置１６によりカラオケ演奏を行う各利用者の個人所有に係るものである。
【００１４】
図２は、上記カラオケ装置１６の構成を例示するブロック線図である。この図２に示すように、上記カラオケ装置１６は、ＣＲＴ（Cathode-ray Tube）やＴＦＴ（Thin Film Transistor Liquid Crystal）等の映像表示装置３０と、ＣＲＴコントローラ等の映像出力制御部３２と、映像情報デコーダ３４と、ビデオミキサ３６と、音源であるシンセサイザ３８と、音響情報出力制御部３９と、音声入力装置であるマイクロフォン４０と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記携帯電話機２８やリモコン装置６４等の入力装置からのリモコン信号を受信するためのリモコン受信部６２とを、備えて構成されている。
【００１５】
前記映像出力制御部３２は、前記ＣＰＵ５０において生成された歌詞文字映像等の文字映像（テロップ）を出力する文字映像出力装置として機能する他、前記映像表示装置３０による種々の映像表示を制御する表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサ３６へ送られる。また、前記ビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００１６】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された出力音（音楽信号）は、アナログ信号に変換されて前記アンプミキサ４２へ送られる。また、後述するＯＦＤＭ変調手段１００により歌詞情報を音響情報に変換して携帯電話機２８への送信を行う場合には、前記シンセサイザ３８により生成された出力音が前記音響情報出力制御部３９へ入力され、その音響情報出力制御部３９を介して前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。
【００１７】
前記音響情報出力制御部３９は、前記アンプミキサ４２に入力される音響情報（音楽信号）を制御する。具体的には、前記シンセサイザ３８から入力される出力音（音楽信号）における所定の周波数帯域の信号を除去して前記アンプミキサ４２に入力する。また、後述するＯＦＤＭ変調手段１００により生成されるＯＦＤＭ変調信号に対応する音響情報を出力させて前記アンプミキサ４２に入力する。なお、本実施例では、この音響情報出力制御部３９から出力される、所定の周波数帯域の信号が除去された前記シンセサイザ３８からの出力音と、上記ＯＦＤＭ変調信号に対応する音響情報とが、共に前記アンプミキサ４２に入力され、そのアンプミキサ４２により合成されて前記スピーカ４４から出力される態様を例示するが、前記音響情報出力制御部３９がミキサ機能を有する場合には、その音響情報出力制御部３９において上記出力音とＯＦＤＭ変調信号に対応する音響信号との合成を行うものであってもよい。
【００１８】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６４が備えられており、前記リモコン受信部６２は、そのリモコン装置６４から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。また、後述するようにリモコン送信部９２を備えると共に所定のアプリケーションがインストールされることによって前記カラオケ装置１６への情報入力機能を備えた携帯電話機２８も同様にそのカラオケ装置１６の入力装置として機能する。
【００１９】
上記ＣＰＵ５０は、上記ＲＡＭ５４の一時記憶機能を利用しつつ上記ＲＯＭ５２に予め記憶された所定のプログラムに基づいて電子情報を処理・制御する所謂マイクロコンピュータであり、上記電子早見本装置２２やリモコン装置６４等により所定のカラオケ演奏曲が選曲された場合、その選曲されたカラオケ演奏曲を上記ＲＡＭ５４に設けられた予約曲テーブルに登録したり、その予約曲テーブルの演奏順に従って上記ハードディスク５６から上記ＲＡＭ５４に選曲されたカラオケ演奏曲の演奏情報及び歌詞情報等を読み出したり、カラオケ演奏曲の演奏が進行するのに応じてそのＲＡＭ５４から上記シンセサイザ３８へ演奏情報を送信したり、歌詞情報に基づいて歌詞文字映像を生成して上記映像出力制御部３２へ送ったり、選曲時には曲名文字映像を生成して上記映像出力制御部３２へ送ったり、上記映像情報デコーダ３４を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ装置２０との間の情報通信制御等の基本的な制御に加えて、後述する音響情報出力制御を実行する。
【００２０】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ１７の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。
【００２１】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。
【００２２】
前記ハードディスク５６には、カラオケ演奏曲を出力させるための多数のカラオケデータ（楽曲データ）を記憶するカラオケデータベース９８（図４を参照）をはじめとする各種データベースが設けられている。カラオケボックス等の店舗にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、随時新たな楽曲データ等が前記サーバ装置２０から前記通信回線１８を介して配信され、前記ハードディスク５６のカラオケデータベース９８等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、上記カラオケデータベース９８等の内容が等価なものとされる。
【００２３】
上記カラオケデータベース９８には、前記カラオケ装置１６によるカラオケ演奏に用いられる多数（例えば、数万曲）のカラオケ情報が記憶されている。このカラオケ情報は、前記シンセサイザ３８により所定の出力音（楽器の演奏音）を生成するための演奏情報、その演奏曲の出力と併行してその演奏曲の歌詞文字映像を表示させるための歌詞情報、上記演奏曲の出力と併行してその歌詞文字映像を順次色替表示させるための歌詞色替情報等から成るものであり、コンテンツＩＤである各演奏曲に固有の選曲番号により識別される。
【００２４】
図３は、前記携帯電話機２８の構成を例示する図である。この図３に示すように、前記携帯電話機２８は、中央演算処理装置であるＣＰＵ６６と、読出専用メモリであるＲＯＭ６８と、随時書込読出メモリであるＲＡＭ７０と、フラッシュＲＯＭ等の記憶部７２と、表示部７４と、操作部７６と、アンテナ７８と、送受信部８０と、モデム部８２と、音声コーディック部８４と、アナログフロントエンド８６と、スピーカ８８と、音声入力装置であるマイクロフォン９０と、前記カラオケ装置１６にリモコン信号（赤外線信号）を送信するためのリモコン送信部９２とを、備えて構成されている。
【００２５】
上記ＣＰＵ６６は、随時書込読出メモリであるＲＡＭ７０の一時記憶機能を利用しつつ読出専用メモリであるＲＯＭ６８に予め記憶されたプログラムに従って信号処理を行う所謂マイクロコンピュータであり、所定の文字ボタン等を備えた操作部７６からの入力に従って文字入力が実行されるように制御したり、その操作部７６から入力された電話番号に従って通信或いは通話チャンネルを成立させると共に相互の通信或いは通話が可能となるように制御したり、その操作部７６から入力されたＵＲＬに従って所定のウェブサイトにアクセスしたり、メールの作成及び送受信を制御する等の基本的な制御に加えて、後述する歌詞文字映像表示制御を実行する。例えば、前記携帯電話機２８の通話状態においては、上記アンテナ７８を介して送受信部８０に受けた通話信号等がモデム部８２を介して音声コーディック部８４においてデジタルコード信号から音声信号に変換され、アナログフロントエンド８６によりスピーカ８８が駆動されて音声が出力される。同時に、上記マイクロフォン９０により音声から変換された音声信号が上記アナログフロントエンド８６を介して上記音声コーディック部８４に送られてそこでディジタル信号に変換され、上記モデム部８２、送受信部８０、及びアンテナ７８を介して送信される。また、通信状態において、上記ＣＰＵ６６は、上記操作部７６から入力された信号を通信先へ送信すると同時に、通信先から受信された信号を表示部７４に表示させる制御を行う。また、他の通信端末からの着信があったと判定される場合には、上記記憶部７２に予め記憶された着信メロディ情報を読み出し、その着信メロディ情報に基づいて図示しない音源部により所定のメロディ（呼出音）を発生させて前記スピーカ８８から出力させたり、呼出音非出力モードにおいては図示しないバイブレータを駆動させて振動を発生させたりする。また、前記ＣＰＵ６６にインストールされた所定のアプリケーションにより、前記リモコン送信部９２を介して前記カラオケ装置１６に対する選曲入力等のリモコン送信制御を行う。
【００２６】
図４は、前記カラオケ装置１６のＣＰＵ５０及び携帯電話機２８のＣＰＵ６６に備えられた制御機能の要部を説明する機能ブロック線図である。この図４に示すＯＦＤＭ変調手段１００及び信号置換制御手段１０２は前記カラオケ装置１６のＣＰＵ５０に、ＯＦＤＭ復調手段１０４及び歌詞文字映像表示制御手段１０６は前記携帯電話機２８のＣＰＵ６６に、それぞれ機能的に備えられたものである。また、本実施例においては、前記カラオケ装置１６に備えられた音響情報出力制御部３９、ＯＦＤＭ変調手段１００、及び信号置換制御手段１０２が情報出力制御手段に相当する。
【００２７】
上記ＯＦＤＭ変調手段１００は、よく知られたＯＦＤＭ（Orthogonal Frequency Division Multiplexing：直交周波数分割多重）技術により種々の情報信号の変調処理を行う。例えば、前記カラオケ情報に含まれる歌詞情報や歌詞色替情報等のテキスト情報を、一般に人間の聴覚では認識し難い所定の周波数帯域、好適には、非可聴音域（超音波帯域）の信号としてＯＦＤＭ変調する。好適には、所定の演奏曲に相当するカラオケ情報に含まれる歌詞情報を、前記映像表示装置３０の１画面に表示させるように予め定められた部分毎にＯＦＤＭ変調して音響情報とする。また、好適には、所定の演奏曲に相当するカラオケ情報に含まれる歌詞情報及びその歌詞情報に対応する歌詞色替情報を一まとまりのテキスト情報としてＯＦＤＭ変調する。このようにして変調された信号は、前記音響情報出力制御部３９により音響情報（アナログ信号）として出力された後、前記アンプミキサ４２へ入力される。
【００２８】
前記信号置換制御手段１０２は、前記音響情報出力制御部３９を介して、前記シンセサイザ３８から出力される出力音における所定の周波数帯域の信号を除去する処理を行う。この信号置換制御手段１０２により除去される周波数帯域は、前記ＯＦＤＭ変調手段１００によるＯＦＤＭ変調により生成される音響情報（変調信号）の周波数帯域と略一致するように制御される。すなわち、前記信号置換制御手段１０２は、前記シンセサイザ３８から出力される出力音における、前記ＯＦＤＭ変調手段１００により変調された音響情報に対応する周波数帯域の信号を除去するように前記音響情報出力制御部３９を制御する。
【００２９】
また、前記信号置換制御手段１０２は、前記音響情報出力制御部３９を介して、前記ＯＦＤＭ変調手段１００により生成される、前記シンセサイザ３８によるその時点における出力音の出力よりも所定時間後に表示されるべき歌詞文字映像を表示させるための音響情報（ＯＦＤＭ変調情報）を、その時点において出力される出力音における所定の周波数帯域の信号と置換するための制御を行う。前記カラオケ装置１６によるカラオケ演奏では、前記シンセサイザ３８から所定の演奏音（出力音）が出力されると共に、その演奏音に対応する歌詞情報に基づく歌詞文字映像が生成されて前記映像表示装置３０に表示される。この演奏音を出力させるための演奏情報（ＭＩＤＩデータ）と歌詞文字映像を表示させるための歌詞情報とは対応付けられている。また、前記映像表示装置３０の１画面に表示されるべき歌詞文字映像が予め定められており、所定のタイミングでその１画面に表示されるべき歌詞文字映像が表示される（所定時間毎に画面に表示される一まとまりの歌詞文字映像が切り換えられる）と共に、その歌詞文字映像が順次色替表示させられるように制御される。ここで、前記信号置換制御手段１０２は、好適には、前記シンセサイザ３８によるその時点における出力音の出力に際して前記映像表示装置３０に表示されるべき一まとまりの歌詞文字映像よりも１画面後に表示されるべき一まとまりの歌詞文字映像を表示させるための音響情報を、その時点における出力音における所定の周波数帯域の信号と置換するための制御を行う。換言すれば、先に出力した音響情報に対応する歌詞文字映像が表示されるべき時点において次なる音響情報を出力させるように信号の置換制御を行う。すなわち、前記ＯＦＤＭ変調手段１００により生成される、前記シンセサイザ３８によるその時点における出力音の出力に際して前記映像表示装置３０に表示されるべき一まとまりの歌詞文字映像よりも１画面後に表示されるべき一まとまりの歌詞文字映像を表示させるための歌詞情報に対応する変調信号に相当する音響情報を前記音響情報出力制御部３９により出力させて前記アンプミキサ４２へ入力させると共に、前記シンセサイザ３８から出力される出力信号における所定の周波数帯域の信号を除去して前記アンプミキサ４２へ入力させる。斯かる制御により、前記音響情報出力制御部３９から出力される、ＯＦＤＭ変調信号に相当する所定の周波数帯域の信号である音響情報と、その音響情報出力制御部３９によりその周波数帯域の信号が除去された前記シンセサイザ３８からの出力音とが合成され、前記スピーカ４４から所定の音として出力される。
【００３０】
前記ＯＦＤＭ復調手段１０４は、よく知られたＯＦＤＭ技術により種々の情報信号の復調を行う。例えば、音声入力装置である前記マイクロフォン９０から入力される、前記音響情報出力制御部３９による出力に係る音響情報を、その音響情報に対応する歌詞情報及び歌詞色替情報等のテキスト情報に復調する。このＯＦＤＭ復調手段１０４により復調された復調情報は、前記ＲＡＭ７０等に形成された復調情報バッファに記憶される。
【００３１】
前記歌詞文字映像表示制御手段１０６は、前記ＲＡＭ７０の復調情報バッファに記憶された歌詞情報に基づいて、図５に示すような歌詞文字映像１０８を前記表示部７４に表示させる制御を行う。具体的には、前記ＯＦＤＭ復調手段１０４による音響情報の復調が行われてから、すなわち前記ＲＡＭ７０の復調情報バッファにその音響情報に相当する復調情報が記憶されてから所定時間後に、その復調情報に対応する歌詞文字映像を前記表示部に表示させる。好適には、所定の音響情報を取得した時点すなわち前記ＲＡＭ７０の復調情報バッファに新たな復調情報が記憶された時点において、その復調情報バッファに先に記憶された復調情報に対応する歌詞文字映像１０８の表示を開始させるように制御を行う。
【００３２】
図５及び図６は、前記歌詞文字映像表示制御手段１０６による歌詞文字映像の表示制御について説明する図である。この図５に示すように、前記表示部７４に表示された歌詞文字映像１０８に対応する「そのとき冷たい風が二人の間を吹き抜けていった」という歌詞情報は、前記カラオケ装置１６によるカラオケ演奏において前記映像表示装置３０の１画面に同様の歌詞文字映像を表示させるための一まとまりの情報であり、前記表示部７４に図５に示すような歌詞文字映像１０８が表示されている時点において、前記カラオケ装置１６によりその歌詞文字映像に対応する演奏音の出力が行われると共に前記映像表示装置３０に同様の歌詞文字映像が表示されている。この時点において、前記ＲＡＭ７０に形成された復調情報バッファには、図５に示す歌詞文字映像１０８の次に表示されるべき「だから僕はその手を決して離すまいと」という一まとまりの歌詞情報に相当する復調情報が記憶されている。ここで、前記カラオケ装置１６により出力される演奏音（出力音）における所定の周波数帯域の信号が、「だから僕はその手を決して離すまいと」という歌詞情報の次に表示されるべき「ネオンサインがやさしく照らすこの街角で」という歌詞情報に対応する音響情報に置換されて前記スピーカ４４から出力され、前記マイクロフォン９０を介して入力されると、そのマイクロフォン９０から入力された音響情報がＯＦＤＭ復調されて、その復調情報が前記ＲＡＭ７０に形成された復調情報バッファに記憶される。そして、図６に示すように、その復調情報が前記ＲＡＭ７０の復調情報バッファに記憶される時点においてその復調情報バッファに記憶されていた「だから僕はその手を決して離すまいと」という歌詞情報に対応する歌詞文字映像１０８が新たに前記表示部７４に表示される。このように、前記歌詞文字映像表示制御手段１０６は、前記マイクロフォン９０により音響情報が入力されるタイミングに応じて前記表示部７４に表示される歌詞文字映像１０８を次の歌詞情報に対応するものに切り換える制御を行う。斯かる構成により、前記信号置換制御手段１０２による音響情報の置換（埋め込み）タイミングすなわち前記スピーカ４４からのその音響情報の出力タイミングを適宜制御することで、前記カラオケ装置１６の映像表示装置３０に所定の歌詞文字映像が表示されるのと略同じタイミングで前記携帯電話機２８の表示部７４に同様の歌詞文字映像を表示させることが可能とされる。
【００３３】
また、前記歌詞文字映像表示制御手段１０６は、図７に示すように、前記マイクロフォン９０により入力される歌詞色替情報に相当する音響情報に基づいて、前記表示部７４に表示された歌詞文字映像１０８を順次色替表示させる。この色替表示制御を行うための歌詞色替情報は、前記歌詞情報に付随する情報であるため、前述したように、前記ＯＦＤＭ復調手段１０４により音響情報の復調が行われてから、すなわち前記ＲＡＭ７０の復調情報バッファにその音響情報に相当する復調情報が記憶されてから所定時間後に、その復調情報に対応する歌詞文字映像１０８の色替表示制御が開始される。好適には、所定の音響情報を取得した時点すなわち前記ＲＡＭ７０の復調情報バッファに新たな復調情報が記憶された時点において、その復調情報バッファに先に記憶された復調情報に対応する歌詞文字映像１０８の色替表示制御が開始される。
【００３４】
図８は、前記カラオケ装置１６のＣＰＵ５０による音響情報出力制御の要部を説明するフローチャートであり、所定の周期で繰り返し実行されるものである。
【００３５】
先ず、ステップ（以下、ステップを省略する）ＳＡ１において、所定の演奏曲のカラオケ演奏開始タイミングであるか否かが判断される。このＳＡ１の判断が否定される場合には、それをもって本ルーチンが終了させられるが、ＳＡ１の判断が肯定される場合には、ＳＡ２において、演奏開始に係る演奏曲のカラオケ情報が前記カラオケデータベース９８から読み出されて前記ＲＡＭ５４等に展開される。次に、ＳＡ３において、所定時間後に表示されるべき歌詞文字映像に対応する歌詞情報及び歌詞色替情報がＯＦＤＭ変調される。次に、ＳＡ４において、ＳＡ２にて読み出されたカラオケ情報に基づいて、前記シンセサイザ３８により所定の演奏音が出力される。次に、ＳＡ５において、ＳＡ４にて出力された演奏音（出力音）における所定の周波数帯域（高音域）の信号が除去される。次に、ＳＡ６において、ＳＡ５において高音域の信号が除去された出力音とＳＡ３において変調されたＯＦＤＭ変調信号に相当する音響信号とが前記アンプミキサ４２に入力され、そのアンプミキサ４２において合成されて前記スピーカ４４から出力される。次に、ＳＡ７において、カラオケ演奏終了タイミングであるか否かが判断される。このＳＡ７の判断が否定される場合には、ＳＡ３以下の処理が再び実行されるが、ＳＡ７の判断が肯定される場合には、それをもって本ルーチンが終了させられる。以上の制御において、ＳＡ３、ＳＡ５、及びＳＡ６が情報出力制御手段としての前記音響情報出力制御部３９、ＯＦＤＭ変調手段１００、及び信号置換制御手段１０２の動作に対応する。
【００３６】
図９は、前記携帯電話機２８のＣＰＵ６６による歌詞文字映像表示制御の要部を説明するフローチャートであり、所定の周期で繰り返し実行されるものである。
【００３７】
先ず、ＳＢ１において、前記カラオケ装置１６によるカラオケ演奏に際しての歌詞文字映像を表示させるカラオケモニタモードであるか否かが判断される。このＳＢ１の判断が否定される場合には、それをもって本ルーチンが終了させられるが、ＳＢ１の判断が肯定される場合には、ＳＢ２において、前記マイクロフォン９０から新たな音響情報すなわちＯＦＤＭ変調信号の入力があったか否かが判断される。このＳＢ２の判断が否定される場合には、ＳＢ６以下の処理が実行されるが、ＳＢ２の判断が肯定される場合には、前記ＯＦＤＭ復調手段１０４の動作に対応するＳＢ３において、前記マイクロフォン９０から入力されたＯＦＤＭ変調信号が歌詞情報及び歌詞色替情報に復調され、その復調された歌詞情報及び歌詞色替情報が前記ＲＡＭ７０に形成された復調情報バッファに記憶される。次に、ＳＢ５において、ＳＢ４による復調情報バッファの更新が行われる時点においてその復調情報バッファに記憶されていた歌詞情報に基づく歌詞文字映像１０８が前記表示部７４に表示される。次に、ＳＢ６において、ＳＢ４による復調情報バッファの更新が行われる時点においてその復調情報バッファに記憶されていた歌詞色替情報に基づいて前記表示部７４に表示された歌詞文字映像１０８が順次色替表示される。次に、ＳＢ７において、カラオケモニタモードを終了させるための所定の操作が行われたか否かが判断される。このＳＢ７の判断が否定される場合には、ＳＢ２以下の処理が再び実行されるが、ＳＢ７の判断が肯定される場合には、それをもって本ルーチンが終了させられる。以上の制御において、ＳＢ３、ＳＢ５、及びＳＢ６が前記歌詞文字映像表示制御手段１０６の動作に対応する。
【００３８】
このように、本実施例によれば、前記カラオケ装置１６は、前記演奏曲に対応する出力音における所定の周波数帯域の信号を除去すると共に、その出力音の出力よりも所定時間後に表示されるべき歌詞文字映像１０８を表示させるための情報を前記除去された周波数帯域の音響情報に変換し、その音響情報と前記出力音とを合成して出力させる制御を行う情報出力制御手段としての音響情報出力制御部３９、ＯＦＤＭ変調手段１００、及び信号置換制御手段１０２（ＳＡ３、ＳＡ５、及びＳＡ６）を備えたものであり、前記携帯電話機２８は、音声入力装置である前記マイクロフォン９０により入力される前記音響情報に基づいて、その音響情報の取得から所定時間後にその音響情報に対応する歌詞文字映像１０８を前記表示部７４に表示させる歌詞文字映像表示制御手段１０６（ＳＢ３、ＳＢ５、及びＳＢ６）を備えたものであることから、音響情報に変換した歌詞情報を演奏曲の出力と所定のタイムラグをもって携帯電話機２８に入力させることで、前記カラオケ装置１６に表示されるものと等価な歌詞文字映像１０８をその携帯電話機２８の表示部７４に表示させることができる。すなわち、カラオケ装置１６により演奏される演奏曲の歌詞文字映像１０８を簡単な処理により携帯電話機２８に表示させるカラオケシステム１０を提供することができる。
【００３９】
また、前記信号置換制御手段１０２は、先に出力した音響情報に対応する歌詞文字映像１０８が表示されるべき時点において次なる音響情報を出力させるように前記制御を行うものであり、前記歌詞文字映像表示制御手段１０６は、所定の音響情報を取得した時点において先に取得された音響情報に対応する歌詞文字映像１０８の表示を開始するものであるため、前記カラオケ装置１６に表示されるものと等価な歌詞文字映像１０８を実用的な態様で前記携帯電話機２８の表示部７４に表示させることができるという利点がある。
【００４０】
また、前記音響情報出力制御部３９、ＯＦＤＭ変調手段１００、及び信号置換制御手段１０２は、前記歌詞文字映像１０８を表示させるための情報と併せてその歌詞文字映像１０８を順次色替表示させるための情報を前記除去された周波数帯域の音響情報に変換し、その音響情報と前記出力音とを合成して出力させるものであり、前記歌詞文字映像表示制御手段１０６は、前記マイクロフォン９０により入力されるその音響情報に基づいて、前記表示部７４に表示された歌詞文字映像１０８を順次色替表示させるものであるため、前記カラオケ装置１６に表示されるものと同様に、前記携帯電話機２８に表示された歌詞文字映像１０８を順次色替表示させることができるという利点がある。
【００４１】
また、前記音響情報出力制御部３９、ＯＦＤＭ変調手段１００、及び信号置換制御手段１０２は、前記演奏曲に対応する出力音における非可聴音域の信号を除去すると共に、その出力音の出力よりも所定時間後に表示されるべき歌詞文字映像１０８を表示させるための情報を前記除去された非可聴音域の音響情報に変換し、その音響情報と前記出力音とを合成して出力させる制御を行うものであるため、前記演奏曲に対応する出力音における非可聴音域の信号を前記音響情報に置換して出力させることで、利用者の耳に聞こえる演奏音に影響を与えることなく、前記携帯電話機２８に歌詞文字映像１０８を表示させるための情報を伝達できるという利点がある。
【００４２】
以上、本発明の好適な実施例を図面に基づいて詳細に説明したが、本発明はこれに限定されるものではなく、更に別の態様においても実施される。
【００４３】
例えば、前述の実施例において、前記音響情報出力制御部３９は、前記シンセサイザ３８から出力されるアナログ信号としての出力音における所定の周波数帯域の信号を除去すると共に、前記ＯＦＤＭ変調手段１００から供給されるディジタル信号としてのＯＦＤＭ変調信号に相当するアナログ信号としての音響情報を出力させ、それらを前記アンプミキサ４２に入力させて合成させるものであったが、本発明はこれに限定されるものではなく、例えば、前記カラオケ情報（ＭＩＤＩデータ）に基づいてディジタル信号としての音楽情報を出力させ、その音楽情報における所定の周波数帯域の信号を除去すると共にディジタル信号としての前記ＯＦＤＭ変調信号を合成させて、そのようにして合成されたディジタル信号としての合成信号をアナログ信号に変換して前記スピーカ４４から出力させるものであってもよい。すなわち、前述した各種制御機能による処理は、ディジタル信号処理であるとアナログ信号処理であるとを問わない。
【００４４】
また、前述の実施例では、カラオケボックス等の店舗１２における個室１４内に前記カラオケシステム１０が適用された例について説明したが、例えば屋外におけるミニライブ等において前記カラオケ装置１６が使用される場合に本発明のカラオケシステム１０が適用されても当然に構わない。
【００４５】
また、前述の実施例では、前記カラオケ装置１６の入力装置として用いられる携帯電話機２８の表示部７４にそのカラオケ装置１６による演奏に係る演奏曲の歌詞文字映像１０８を表示させる態様について説明したが、前記カラオケ装置１６への情報入力機能を有しない携帯電話機２８の表示部７４に斯かる歌詞文字映像１０８を表示させる態様も考えられる。
【００４６】
その他、一々例示はしないが、本発明はその趣旨を逸脱しない範囲内において種々の変更が加えられて実施されるものである。
【図面の簡単な説明】
【００４７】
【図１】本発明の一実施例であるカラオケシステムを説明する概略図である。
【図２】図１のカラオケシステムに備えられたカラオケ装置の構成を例示するブロック線図である。
【図３】図１のカラオケシステムに備えられた携帯電話機の構成を例示するブロック線図である。
【図４】図２のカラオケ装置のＣＰＵ及び図３の携帯電話機のＣＰＵに備えられた制御機能の要部を説明する機能ブロック線図である。
【図５】図３の携帯電話機のＣＰＵによる歌詞文字映像の表示制御について説明する図である。
【図６】図３の携帯電話機のＣＰＵによる歌詞文字映像の表示制御について説明する図である。
【図７】図３の携帯電話機のＣＰＵによる歌詞文字映像の色替表示制御について説明する図である。
【図８】図２のカラオケ装置のＣＰＵによる音響情報出力制御の要部を説明するフローチャートである。
【図９】図３の携帯電話機のＣＰＵによる歌詞文字映像表示制御の要部を説明するフローチャートである。
【符号の説明】
【００４８】
１０：カラオケシステム
１６：カラオケ装置
２８：携帯電話機
３９：音響情報出力制御部
７４：表示部
９０：マイクロフォン（音声入力装置）
１００：ＯＦＤＭ変調手段
１０２：信号置換制御手段
１０６：歌詞文字映像表示制御手段
１０８：歌詞文字映像
【図１】
2008242264.tif 000003
【図２】
2008242264.tif 000004
【図３】
2008242264.tif 000005
【図４】
2008242264.tif 000006
【図５】
2008242264.tif 000007
【図６】
2008242264.tif 000008
【図７】
2008242264.tif 000009
【図８】
2008242264.tif 000010
【図９】
2008242264.tif 000011